(57)【要約】【課題】クラブの長さを調整することができるとともに、フェース角を自動的且つ同時に調整することのできるゴルフクラブを提供すること。【解決手段】ヘッド１１のホーゼル部１２にシャフト１３の先端側を挿入して当該シャフト１３がヘッド１１に固定可能とされている。シャフト１３はホーゼル部１２に対して挿入深さ変えることができるようになっており、その深さを変えたときに、シャフト１３軸線に回りにヘッドが相対的に回転可能とされてフェース角が調整可能となっている。【選択図】図２
2016036351.tif 000002
【特許請求の範囲】
【請求項１】
ヘッドのシャフト取付部にシャフトの先端側が進退可能に設けられるとともに、当該シャフトをシャフト取付部に対して進退させて所望の位置で両者を固定することでクラブ長さが調整可能に設けられたゴルフクラブにおいて、
前記シャフトを前記シャフト取付部内で進退させるときに、前記シャフトとシャフト取付部とがシャフトの周方向に相対回転するように組み合わされていることでヘッドのフェース角が調整可能に設けられていることを特徴とするゴルフクラブ。
【請求項２】
前記シャフト取付部は前記シャフトの先端側を挿入可能な筒状をなし、当該シャフト取付部とシャフト先端側とがシャフト取付部の軸線方向に延びる螺旋の軌跡に沿って相対移動可能となる係合手段を備えていることを特徴とする請求項１記載のゴルフクラブ。
【請求項３】
前記係合手段は、シャフト取付部の内周側に設けられた溝と、前記シャフト先端側に設けられて溝内に位置可能な凸部とにより構成されていることを特徴とする請求項２記載のゴルフクラブ。
【請求項４】
前記シャフトの先端側はスリーブを介してシャフト取付部に挿入され、当該スリーブの外周面に前記凸部が形成され、当該凸部は、前記溝の軌跡に対応してスリーブの軸線方向に沿って延びる突条により構成されていることを特徴とする請求項３記載のゴルフクラブ。
【発明の詳細な説明】
【技術分野】
【０００１】
本発明はゴルフクラブに係り、更に詳しくは、ゴルフクラブの長さが調整可能であるとともに、当該長さを調整したときに、フェース角を自動的に調整することのできるゴルフクラブに関する。
【背景技術】
【０００２】
一般的に、ゴルフクラブは、そのクラブ長さが固定された状態となっており、例えば、ドライバーと称するウッドタイプのゴルフクラブにあっては、４５インチ前後の長さのものが市販されている。
しかしながら、ゴルファーが所望するクラブ長さは一様ではなく、特にドライバーの場合には、より長いもの、或いは、より短いものを要求する場合がある。
このような場合、グリップの軸線方向において、グリップを握る位置をずらして利用して対応することも可能であるが、握り方というのはなかなか変え難いものであり、或いは、グリップがテーパ形状を備えているような場合は、握る領域の太さが通常時と異なってしまうので、違和感をもたらしてしまう等の不都合を招来する。
【０００３】
従って、グリップの握る位置を変えることなく、クラブ長さを調整することができれば、上述した要求に対応することができる。
ここで、ゴルフクラブの長さを長くした場合には、一般的にボールが右側に回転してスライスボールが出やすくなり、長さを短くした場合はボールが左側に回転してフックボールが出やすくなる、とされている。これは、インパクトの際に、ターゲットに対するフェース面の向き、つまりヘッドのフェース角がスクウェアでないことに起因する。
すなわち、クラブ長さが長くなると、インパクトの際に、ヘッドがスクウェアに完全に戻りきらず、オープンフェース気味の状態でインパクトを迎えてボールに右側への回転を与えてしまう一方、クラブ長さが短くなると、ヘッドがスクウェアの状態に早く戻ってクローズ（フック）フェース気味の状態でインパクトを迎えてボールに左側への回転を与えてしまうためである。
従って、クラブ長さを調整した場合には、その長さに応じてフェース角を調整することが望ましいことになる。
【０００４】
ところで、特許文献１には、ヘッドやシャフトの接合部に調整機構を設けたゴルフククラブが提案されている。このゴルフクラブは、図５に示されるように、シャフト５０の先端側に固定された有底のスリーブ５１を介してシャフト５０がヘッド５３のソール側に設けられたシャフト取付部５４に挿入可能とされ、シャフト取付部５４の底部５４Ａを貫通可能な固定用ボルト５６をスリーブ５１の底部に設けられた雌ねじ部５７に締め付けることでヘッド５３にシャフト５０が固定可能となっている。また、シャフト５０は、シャフト取付部５４に対して進退可能に設けられて挿入深さが調整可能であり、例えば、図５（Ａ）に示される挿入位置と、図５（Ｂ）に示される挿入位置との間でクラブ長さが調整可能となっている。なお、固定用ボルト５６は長さが異なる複数種用意され、図５（Ａ）、図５（Ｂ）との中間挿入位置でも固定可能となっている。
更に、特許文献１に記載されたゴルフクラブは、図示しないフェースと、前記ヘッド５３との間に、交換可能な部材を介在させることでフック角が調整可能とされ、従って、クラブ長さとフック角とが調整可能となっている。
【先行技術文献】
【特許文献】
【０００５】
【特許文献１】特開２０１２−８１２５０号公報
【発明の開示】
【発明が解決しようとする課題】
【０００６】
しかしながら、特許文献１に記載されたゴルフクラブにあっては、クラブ長さを調整可能としても、その調整作業に伴って、フック角（フェース角）を連動して自動的に調整可能とする構成を備えたものではない。
つまり、特許文献１記載のゴルフクラブは、クラブ長さとフェース角の双方を調整する場合、クラブ長さの調整と、フェース角調整とを別々に行う必要があり、調整作業に時間を要して簡便性に欠け、使い勝手が悪い、という不都合がある。また、従来構造は自動補正ではないので、初心者は長短調整に応じてフェース角をどのように変更すればよいかが判らず、適切な調整が行えないという不都合もあった。
【０００７】
本発明の目的は、クラブの長さを調整する際に、当該調整に連動してフェース角も自動的に調整することができ、それらを個別的に調整する必要性をなくすことができるゴルフクラブを提供することにある。
【課題を解決するための手段】
【０００８】
前記目的を達成するため、本発明は、特許請求の範囲記載の構成を採用したものであり、具体的には、ヘッドのシャフト取付部にシャフトの先端側が進退可能に設けられるとともに、当該シャフトをシャフト取付部に対して進退させて所望の位置で両者を固定することでクラブ長さが調整可能に設けられたゴルフクラブにおいて、
前記シャフトを前記シャフト取付部内で進退させるときに、前記シャフトとシャフト取付部とがシャフトの周方向に相対回転するように組み合わされていることでヘッドのフェース角が調整可能に設けられる、という構成を採っている。
【０００９】
本発明において、前記シャフト取付部は前記シャフトの先端側を挿入可能な筒状をなし、当該シャフト取付部とシャフト先端側とがシャフト取付部の軸線方向に延びる螺旋の軌跡に沿って相対移動可能となる係合手段を備えた構成とすることが好ましい。
【００１０】
また、前記係合手段は、シャフト取付部の内周側に設けられた溝と、前記シャフト先端側に設けられて溝内に位置可能な凸部とにより構成することができる。
【００１１】
更に、前記シャフトの先端側はスリーブを介してシャフト取付部に挿入され、当該スリーブの外周面に前記凸部が形成され、当該凸部は、前記溝の軌跡に対応してスリーブの軸線方向に沿って延びる突条により構成するとよい。
【発明の効果】
【００１２】
本発明によれば、シャフトをシャフト取付部内で進退させたとき、つまり、シャフトの挿入深さを変化させたときに、シャフトとシャフト取付部とが周方向に相対回転してヘッドのフェース角が調整可能に設けられているので、クラブ長さを長くしたときに、フェース角がクローズとなる方向に、また、クラブ長さを短くしたときに、フェース角がオープンとなる方向に設定することができる。
また、係合手段が螺旋の軌跡に沿って相対移動するから、クラブ長さの変化に微細に対応したフェース角を得ることができる。
更に、係合手段が溝と凸部とから構成されているため、シャフト取付部に対するシャフトの挿抜容易性を確保しつつフェース角が調整可能となり、調整作業を簡易且つ迅速に行うことができる。
また、シャフト先端側にスリーブを設け、このスリーブに沿って突条を設けることで、強度的に安定した係合状態を得ることができる。
【図面の簡単な説明】
【００１３】
【図１】ウッドタイプのゴルフクラブヘッドの平面図。
【図２】前記ゴルフクラブの一部を断面した分解図。
【図３】（Ａ）は前記ゴルフクラブを短くした状態を示す要部拡大断面図、（Ｂ）は図３（Ａ）のＡ−Ａ線拡大端面図。
【図４】（Ａ）は前記ゴルフクラブを長くした状態を示す要部拡大断面図、（Ｂ）は図４（Ａ）のＢ−Ｂ線拡大端面図。
【図５】（Ａ）、（Ｂ）は、クラブ長さを調整可能とした従来タイプのゴルフクラブの要部断面図。
【発明を実施するための形態】
【００１４】
以下、本発明の実施の形態について図面を参照しながら説明する。なお、本明細書において、位置若しくは方向を示す用語は、特に明示しない限り、図２を基準として用いるものとし、クラウン側を「上」、ソール側を「下」、トウ側を「前」、ヒール側を「後」とする。なお、本明細書において、クラブは、右打ちのゴルファーを対象としたものと基準とする。
【００１５】
図１及び図２において、ゴルフクラブ１０は、いわゆる「ドライバー」と称されるゴルフクラブを構成するヘッド１１と、シャフト取付部を構成するホーゼル部１２を介してヘッド１１に取り付けられたシャフト１３とを含む。ヘッド１１は、上面側となるクラウン面１５と、下面側となるソール面１６と、これらのトウ側からバック側を通ってヒール側に至る外周面を形成するサイド面１７と、打撃面となるフェース面１８とを備えて構成されている。また、フェース面を上から見たとき傾き具合はフェース角として表される。より詳しくは、まず水平面と、シャフト軸を含む鉛直面とに垂直な面（図２中紙面直交方向の面）ＶＳを規定する。フェース面が平坦な面である場合、フェース面の法線ベクトルを、水平面に正射影することによってできる射影ベクトルＰＶ１を規定し、射影ベクトルＰＶ１が、垂直な面ＶＳとなす角度がフェース角となる。また、フェース面が曲面である場合、フェース面の中心点における法線ベクトルを、水平面に正射影することによってできる射影ベクトルＰＶ２を規定し、射影ベクトルＰＶ２が垂直面ＶＳとなす角度がフェース角となる。
【００１６】
前記ホーゼル部１２は、図２に示されるように、上端が開口し、底部２１がソール面１６寄りに位置する深さを備えた有底円筒状をなし、その内周面に、円筒の軸線方向に沿って緩やかな螺旋状（右利きの場合、シャフト軸のシャフトバット側から先端に至る向きに、シャフトが移動した場合、半時計回りにシャフトが回転するような緩やかな螺旋状）に延びる溝２０が形成されている。底部２１には穴２２が形成されている一方、ソール面１６のヒール側に設けられた凹部１６Ａの上面にも穴２３が設けられており、これらの穴２２、２３には、固定具を構成する長寸ねじ２４及び短寸ねじ２５がソール面１６側から選択的に挿入可能となっている。
【００１７】
前記シャフト１３はスリーブ２７を介してホーゼル部１２内に挿入され、長寸ねじ２４又は、短寸ねじ２５を介してホーゼル部１２内に固定可能となっている。シャフト１３とスリーブ２７との連結は、例えば、接着により行うことができる。なお、長寸ねじ２４を用いてスリーブ２７を固定する場合には、スペーサＳがホーゼル部１２の底部２１とスリーブ２７との間に介装される。
スリーブ２７は、本実施形態では長さが２インチ（５．０８ｃｍ）で、直径１４ｍｍに設けられている。このスリーブ２７は、その軸線方向中央から下１インチの長さにおける外周面部分に、前記溝２０内に位置可能で、当該溝２０と共に係合手段を構成する凸部としての突条３０が形成されている。突条３０は溝２０の軌跡に対応してスリーブ２７の軸線方向に沿って緩やかな螺旋状に延びている。また、スリーブ２７はホーゼル部１２内にぴったり収まる直径を有し、ホーゼル部１２と略同一の軸方向長さに設けられている。なお、スリーブ２７は、上端側が開口となるシャフト挿入空間３１を備え、その底部（下端）側には、ホーゼル部１２の底部２１に設けられた穴２２と同一軸線上に位置する雌ねじ３３が形成されている。
本実施形態において、溝２０と突条３０の延出方向若しくは傾斜方向は、クラブを長く設定したときに、ヘッド１１のトウ側が図１中左側に相対回転し、短くしたときに同図中右側に相対回転するように設定されている。具体的には、クラブを１インチ長く設定したときに１度のフックフェースとなり、インパクトの際にフェースをスクウェアに戻し易くなり、オープンフェース気味でインパクトした場合のボール右回転を無くしてスライスボールの出現を回避することができる。この一方、クラブを１インチ短く設定したときに、１度のオープンフェースとなり、フックフェース気味でインパクトした場合のボール左回転を無くしてフックボールの出現を回避することができる。
本実施形態における突条３０は上側１インチの範囲に突条が存在しないため、クラブ長さを１インチ長く設定してもホーゼル部１２の上端から突条３０が露出することはなく、外観上の体裁が損なわれることはない。
上記したように、本実施形態では、１インチでフェース角が１度変化し、スリーブ２７の直径は１４ｍｍであるから、スリーブ２７の側面を平面に展開したときの突条の傾きはおよそ０．２８度となる。
【００１８】
前記ゴルフクラブ１０は、シャフト１３の先端（下端）側にスリーブ２７が接着固定された状態で、当該シャフト１３の先端側がホーゼル部１２内に挿入される。この挿入は、図３（Ｂ）又は図４（Ｂ）に示されるように、突条３０が溝２０内に位置するように相互に係合させた状態で行われる。そして、スリーブ２７をホーゼル部１２の底部２１に突き当たる位置まで挿入した状態で、短寸ねじ２５がソール面１６の凹部１６Ａ側から挿入されて雌ねじ３３にねじ込まれることとなる（図３（Ａ）参照）。
【００１９】
ゴルフクラブ１０の長さを長くしたい場合には、短寸ねじ２５を外し、シャフト１３、スリーブ２７をホーゼル部１２から抜き出す。そして、スペーサＳをホーゼル部１２内に落とし込んだ後、スリーブ２７をホーゼル部１２に挿入し、長寸ねじ２４を雌ねじ３３にねじ込めばよい。この際、スリーブ２７は、図３（Ａ）に示される位置に対して上昇した位置となるため、ヘッド１１がシャフト１３の軸線を中心として図１中左側に相対的に回転することになる。つまり、短寸ねじ２５を用いてシャフト１３が固定されているときに、図１に示されるようにフェース面１８の中央を通る接線Ｔとシャフト軸線Ｌとが、例えば平行、つまり、フェース角が「０」であるとしたときに、ヘッド１１のトウ側が左側に移動してマイナスのフェース角となるクローズ（フック）フェースとなるようになっている。但し、上記のフェース角の変化は、シャフトの持つ位置や持ち方が変わらないこと（すなわち、シャフト軸線を含む鉛直面は変化しないこと）を前提としたものである。より確実にシャフトの持つ位置や持ち方を変えないようにするには、例えば、グリップに特定方向を示すような模様や、握る位置を固定するための指の形などが付けられているようにしてもよい。
なお、スペーサＳは軸方向長さが種々異なる複数個用意し、それに対応するねじを用意しておくことで、微細に長さ調整が可能となる。
また、短寸ねじ２５を用いた状態においてフェース角をプラスとなるオープンフェースとなるように設定しておいてもよい。
【００２０】
従って、本発明の上記実施形態によれば、ゴルファーの要求に従ってクラブ長さを調整したときに、これと同時にフェース角も調整可能となっているから、クラブの長さを変えたときに生じ易い不利益、例えば、スライス、フックボールが出やすいクラブ設定を回避することが期待できる。
【００２１】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置等、その他の詳細な構成において、当業者が様々な変形を加えることができるものである。
【００２２】
例えば、前記実施形態では本発明がドライバーに適用された場合を説明したが、本発明はこれに限定されるものではなく、その他のウッドタイプのゴルフクラブに適用することを妨げない。
【００２３】
また、係合手段として、ホーゼル部１２内に溝２０を設ける一方、スリーブに突条３０を設けたが、ホーゼル部１２に突条を設ける一方、スリーブ２７に溝を形成してもよい。この際、突条３０のように一定長さを有するものに代えて、短い凸部であってもよく、また、溝２０は、ホーゼル部１２内の周方向１８０度対称位置に各１個設け、各溝に対応する突条３０をスリーブ２７の外周１８０度対称位置に設けることもできる。
また、スリーブ２７を捻じれた角筒状に形成してもよい。この場合には、ホーゼル部１２の内面側形状も捻じれた対応形状とすれば足りる。更に、スリーブ２７は必ずしも設けることを要しない。この場合、シャフト１３の先端側が、スリーブ２７と実質的に同一の構造に形成されていれば足りる。なお、スリーブを設けたことにより、溝２０の延出方向若しくは傾斜角度の異なるヘッドにした場合、シャフト全体ではなくスリーブのみを交換するだけで突条３０の延出方向若しくは傾斜角度を変更させることができるので、シャフトの交換は必須のものではないため、低コストで使用できる。また、スリーブをシャフトよりも径が太いものを扱うことにより、ヘッドとシャフトとのねじによる固定をより強固なものとすることができる。
【００２４】
また、スリーブ２７の軸線に略直交する穴を、例えば、ヘッド１１のヒール側に設け、当該穴を通じてねじをねじ込みできるようにしてスリーブ２７の位置を固定するようにしてもよい。これによれば、スペーサＳを設ける必要性を無くすこともできる。
【００２５】
更に、スペーサＳは、軸方向に伸縮できる弾力性を持った材料で形成してもよい。この場合には、シャフト１３の挿入深さを調整する範囲が一定の範囲において、スペーサＳを共用でき、部品点数を削減できる。
【符号の説明】
【００２６】
１０…ゴルフクラブ、１１…ヘッド、１２…シャフト取付部としてのホーゼル部、１３…シャフト、２０…係合手段としての溝、２７…スリーブ、３０…係合手段としての突条（凸部）
【図１】
2016036351.tif 000003
【図２】
2016036351.tif 000004
【図３】
2016036351.tif 000005
【図４】
2016036351.tif 000006
【図５】
2016036351.tif 000007